Podtech/llm-jp-corpus-v4-ja_patent huggingface dataset:
(57)【要約】      （修正有）【課題】自動車の始業点検時に、照明の点検を運転者が運転席でおこなえる様に、自動車の運転席のメータパネルにＬＥＤを設け、自動車の照明の良否をチェックする装置を提供する。【解決手段】自動車のヘッドライト、ストップランプ等一人でも点検できる様、各ランプ回路の定格電流を自動車のマイクロコンピュータに入力し、定格電流より電流が低下したら、即ちランプが切れたら運転席のメータパネルのＬＥＤ４，５，６が点灯又は、消灯する事に依り、自動車の照明がチェック出来るように構成する。【選択図】図１
0003163667.tif 000002
【実用新案登録請求の範囲】
【請求項１】
自動車のヘッドライト、ストップランプ等一人で点検するのが困難及び、始業点検を怠る為、ヘッドライト、ストップランプが片方切れている自動車が多く見られる。そこで一人でも点検出きる様、各ランプ回路の定格電流を自動車のマイクロコンピュータに入力し、定格電流より電流が低下したら、即ちランプが切れたら運転席のメータパネルのＬＥＤが点灯するか、消灯する様にする。
【考案の詳細な説明】
【技術分野】
【０００１】  自動車の始業点検時、照明の点検は、原則的に二人必要となり、特にブレーキ燈は一人では困難である。その為ストップランプが切れているのに気付かず後ろから追突されたり、ヘッドライトが片方切れていると接触したりすることが多く、大変危険である。
【背景技術】
【０００２】  本考案は、自動車のブレーキ燈、ヘッドライトが片方切れている事が目立つ為、一人で各ランプを点検出来る様にするものである。
【考案が解決しようとする課題】
【０００３】  従来技術では、自動車のランプ点検は原則的に二人で行うが、ブレーキ燈は二人でないと点検出来ない為、一人で確認出きる様、運転席のメータパネルに注意表示する。
【課題を解決するための手段】
【０００４】  ヘッドライト、スモールライト、バックライト、方向指示器、ブレーキランプ等にランプ切れがあると、運転席のメータパネルのスイッチを入れる事に依り、異常が判断出来る。
【考案の効果】
【０００５】  上記目的を達成する為に、各ランプ毎の回路を点灯した時の定格電流を自動車のマイクロコンピュータに記憶させておき、その電流より低下すれば、即ちランプが切れていればＬＥＤが点灯、又は消灯して異常を知らせる。
【考案を実施するための最良の形態】
【０００６】  各ランプ回路毎にＬＥＤを組み込み、各回路の定格電流より電流が低下した場合、即ちランプが切れた場合、運転席のメータパネルのＬＥＤが点灯するか、消灯する様にする。
【実施例】
【０００７】  以上本考案は、運転席にＬＥＤを取付けた所を、図１、を用いて説明する。【０００８】  ここで図１の１は、速度計、２は、回転計、３は、点検用スイッチ、４は、本考案品のＬＥＤでブレーキランプ、５は、ヘッドライト、６は、方向指示器等を表している。
【図面の簡単な説明】
【０００９】
【図１】  運転席のメータパネルの平面図である。
【図１】
0003163667.tif 000003
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
自動車のヘッドライト、ストップランプ等一人でも点検できる様、各ランプ回路の定格電流を自動車のマイクロコンピュータに入力し、定格電流より電流が低下したら、即ちランプが切れたら運転席のメータパネルのＬＥＤが点灯又は、消灯する事に依り、自動車の照明がチェック出来る装置である。
【手続補正２】
【補正対象書類名】明細書
【補正対象項目名】全文
【補正方法】変更
【補正の内容】
【考案の詳細な説明】
【技術分野】
【０００１】  本考案は、自動車の運転席のメータパネルにＬＥＤを設け、自動車の照明の良否をチェックする装置に関するものである。
【背景技術】
【０００２】  自動車の始業点検時、照明の点検は、原則的に二人必要となり、特にブレーキ燈は一人では困難であり又、始業点検を怠ることもある為、ヘッドライトが片方切れている事や、ストップランプが片方切れている事が多い為、接触事故や、追突事故が多く大変危険である。
【考案が解決しようとする課題】
【０００３】  従来技術では、自動車のランプ点検は原則的に二人で行うが、ブレーキ燈は二人でないと点検出来ない為、一人で確認出きる様、運転席のメータパネルにＬＥＤを設け、ＬＥＤが点灯又は消灯する事に依り、異常を知らせ、前述の欠点を解決しようとするものである。
【課題を解決するための手段】
【０００４】  本考案は、ヘッドライト、スモールランプ、バックランプ、方向指示器、ブレーキランプ等にランプ切れがあると、運転席のメータパネルの、ＬＥＤが点灯又は、消灯すると異常と判断でき、問題点を解決している。
【考案の効果】
【０００５】  上記目的を達成する為に、各ランプを点灯した時の定格電流を自動車のマイクロコンピュータに記憶させておき、その電流より低下すれば、即ちランプが切れていればＬＥＤが点灯又は、消灯して異常を知らせ、ランプ切れの早期発見につながる。
【考案を実施するための最良の形態】
【０００６】  各ランプ回路毎にＬＥＤを組み込み、ランプを点灯した時、各回路の定格電流より電流が低下した場合、即ちランプが切れた場合、運転席のメータパネルのＬＥＤが点灯又は、消灯して、異常を知らせる。
【実施例】
【０００７】  以上本考案は、運転席にＬＥＤを取付けた所を、図１、図２を用いて説明する。【０００８】  図１の１は、速度計、２は、回転計、３は、本考案品のブレーキランプ用ＬＥＤ、４は、ヘッドライト用ＬＥＤ、５は、方向指示器用ＬＥＤ等を表し、ランプ回路のＬＥＤの数はいくつでも良い。【０００９】  図２は、本考案品の電気回路図を表わしたものであり、６，７は自動車のランプ、８，９は電気抵抗器、１０は、自動車のマイクロコンピュータ、１１は、本考案品のＬＥＤを表わし、８のＲ１抵抗器は、数十キロオームから数百キロオームが望ましく、９のＲ２抵抗器は、数オームが望ましい。
【図面の簡単な説明】
【００１０】
【図１】本考案のＬＥＤを取り付けた運転席のメータパネルの平面図である。
【図２】本考案の電気回路図である。
【符号の説明】１      速度計
２      回転計
３      ブレーキ用ＬＥＤ
４      ヘッドライト用ＬＥＤ
５      方向指示器用ＬＥＤ
６、７  自動車のランプ
８、９  電気抵抗器
１０    自動車のマイクロコンピータ
１１    本考案品のＬＥＤ
【手続補正３】
【補正対象書類名】図面
【補正対象項目名】全図
【補正方法】変更
【補正の内容】
【図１】
0003163667.tif 000004
【図２】
0003163667.tif 000005
(57)【要約】      （修正有）【課題】水分を多く含み、水量が節約でき、水の無駄が少なくなり、又、洗剤の泡立ちが良くなるので洗剤の保持力が高まり、洗浄しやすく、洗剤の節約にもなり、洗浄効果も上がる洗い器具を提供する。【解決手段】Ｕ字に曲げた、たわし部のハリガネの先に不織布付スポンジを差し込み、たわし部分と不織布付スポンジ部分を一体化したものに、バンドで固定ししっかりと結合させ持ちやすくしたものである。【選択図】図１
0003163666.tif 000002
【実用新案登録請求の範囲】
【請求項１】
Ｕ字状になった、たわしのハリガネ部の先端を不織布付スポンジの中に差し込んで一体化し外側面周囲をくるむようにバンドで固定したことを特徴とするたわしと不織布付スポンジの一体型荒い器具。
【考案の詳細な説明】
【技術分野】
【０００１】  本考案は、器物の洗浄や掃除に使用する洗い器具に関するものである。
【背景技術】
【０００２】  従来、たわしは、たわしのみで器物を洗浄、掃除するのが通常となっている。又、不織布付スポンジは、それのみで器物を洗浄するようになっている。
【特許文献１】  実用新案公開平０６−０２６７５８号公報
【特許文献２】  特許公開２００２−１１２８３６号公報
【考案の開示】
【考案が解決しようとする課題】
【０００３】  そのために次のような問題点があった。
（イ）たわしのみで洗浄、掃除する場合、洗浄水の含みが悪く、水の使用量が多くなるため、水の無駄が発生する。又、泡立ちが悪いため、洗剤も必要以上に使用することになり洗剤の無駄も多くなる。
（ロ）不織布付スポンジのみで、しつこい汚れの器物を洗浄しようとすると、不織布部分やスポンジに、汚れがつき、同時にその汚れを落とすにも時間と手間がかかる上に、綺麗に汚れが落ちない場合がある。又、凹凸のある器物は綺麗に汚れが落ちない事がある。
本考案は、以上の問題点を解決するものである。
【課題を解決するための手段】
【０００４】    Ｕ字状になった、たわしのハリガネ部の先をねじって結合し、不織布付スポンジの中に差し込み、たわし部分と、不織布付スポンジ部分を一体化した外側周囲をバンドで固定し、しっかりと結合させて持ちやすくしたものである。
以上を特徴とする、たわしと不織布付スポンジの一体型の洗い用具である。
【考案の効果】
【０００５】（イ）たわし部分を使い洗浄する場合、不織布付スポンジが一体化しているので、水分を多く含み、水量が節約でき、水の無駄が少なくなる。又、洗剤の泡立ちが良くなるので洗剤の保持力が高まり、洗浄しやすく、洗剤の節約にもなり、洗浄効果も上がる。
（ロ）汚れの度合いや、洗い物の種類、又、掃除する箇所に応じて、一つの洗い具を使い分けることが出来る。
（ハ）バンドを取り付けることにより、手に持ちやすく、使いやすくした。
【考案を実施するための最良の形態】
【０００６】  以下、本考案の実施の形態を説明する。
たわし（１）のＵ字状のハリガネ（５）部分の先をねじって結合し、その先に不織布（３）付スポンジ（２）を差込み、合体した部分を接着し、外周をバンド（４）でしっかり固定する。
本案は以上のような構造で、これを使用するときは、バンド（４）をつかみ持ち、スポンジ（２）、又は不織布（３）部に水分、洗剤を含ませて洗浄するか、対象物の汚れ度合いや箇所に応じて、たわし（１）部と不織布（３）付スポンジ（２）と使い分ける。
【図面の簡単な説明】
【０００７】
【図１】  本考案の斜視図
【図２】  本考案の縦断面図
【図３】  本考案の横断面図
【符号の説明】
【０００８】１    たわし
２    スポンジ
３    不織布
４    バンド
５    ハリガネ
【図１】
0003163666.tif 000003
【図２】
0003163666.tif 000004
【図３】
0003163666.tif 000005
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
Ｕ字状になった、たわしのハリガネ部の先端を、不織布付スポンジの中に差し込んで一体化し、外側面周囲をくるむようにバンドで固定したことを特徴とする、たわしと不織布付スポンジの一体型洗い器具。
(57)【要約】      （修正有）【課題】木造、戸建住宅を対象として、単純な構造でコスト削減を図った免震構造を提供する。【解決手段】上下の二重土台と束３を連結する独立ホゾに貼り付けた復元帯と、それぞれを連結するボルト穴に緩みを持たせて土台のせり上がりを防ぎ、土台と単独ホゾを連結するボルトの固定にはダブルナット６の要領を用いることにより、土台部分のボルト穴の緩みを有効にする構造で、地震時における地震力が増すほど上土台１と下土台２の反作用の効果により分断かつ吸収し建物の加重が重いほどその効果は大きく被害を軽減する。【選択図】図１
0003163665.tif 000002
【実用新案登録請求の範囲】
【請求項１】
上土台１と下土台２のボルト穴１２に緩みを持たせ、復元帯４を貼り付けた単独ホゾ５のボルト穴７にも緩みを持たせ、単独ホゾ５と束３を連結するボルト８を固定するシングルナット９、上土台１・下土台２と単独ホゾ５を連結するボルト８を固定するダブルナット６の組み合わせを特徴とする束を用いた二重土台の免震構造。
【考案の詳細な説明】
【技術分野】
【０００１】  本考案は、木造戸建住宅において地震発生時に免震構造によって、建物の被害の軽減に関するものである。
【背景技術】
【０００２】  従来から地震における建物に及ぼす地震力は耐震構造、制震構造、免震構造で対策が行われており、特に免震工法は地震の力を直接建物に伝えにくい工法で、最近その有効性は認知されるようになってきた。（特許文献１）
【先行技術文献】
【特許文献】
【０００３】
【特許文献１】特開２００８−６３９１０号公報
【考案の概要】
【考案が解決しようとする課題】
【０００４】  従来の免震構造のすべり支承、積層ゴム支承等ではコスト高により普及しているとは思われないため、より単純な構造で工期の短縮化を図りコスト削減に普及を目的とし、更に古来より伝わる伝統技術を高め木造在来工法、伝統工法の技術維持に貢献をする。
【課題を解決するための手段】
【０００５】  本考案の免震構造は、土台を二重構造にすることによって建物にかかる地震力を軽減し建物の被害を抑えることができ、土台と土台を繋ぐ束のホゾは独立させることにより地震力を分断させ、上下の土台を連結するボルト穴に緩みを持たせ土台のせり上がりを抑えつつ、束のボルト穴にも緩みを持たせＸ方向、Ｙ方向のどちらにも有効的に作用することが出来る。更に束のホゾに復元帯を貼り付けることにより、部材に加わる力を吸収しかつ地震終息時に元の位置に戻す役目を果たす、多少のズレは見られるものの支障の範囲ではない。
【考案の効果】
【０００６】  本考案の免震構造は束、ホゾ、ボルト径に緩みを持たせる土台の二重構造で地震時における建物被害を最小限に食い止めることはもとより、従来の免震装置よりコストを削減し工期の短縮化に効果があるため、広く一般社会に普及することに意義がある。
【図面の簡単な説明】
【０００７】
【図１】図１は土台免震構造の実施方法を示した斜視図である。
【図２】図２は土台兔震構造の実施方法を示したＡ−Ａの断面図によって各部材の説明である。
【図３】図３は土台免震構造の実施方法を示したＢ−Ｂの断面図によって各部材の説明である。
【考案を実施するための形態】
【０００８】  以下本考案の免震構造を図面に示す実施例に基づいて具体的に説明する。
【実施例１】
【０００９】  図１は、本考案の免震構造の１実施例の斜視図である。【００１０】  上土台１と下土台２に付随する単独ホゾ５に連結されるボルト穴１２と、束３に付随する単独ホゾ５に連結されるボルト穴７それぞれに緩みを持たせる。【００１１】  布基礎１０に下土台２を設置した後、復元帯４を貼り付けた単独ホゾ５と束３と上土台１を組み合わせて、それぞれのボルト穴７・１２にボルト８を通す。【００１２】  ボルト８をナットで固定するが、ボルト穴７に通したボルト８はシングルナット９によって固定する、ボルト穴１２に通したボルト８の固定にはボルト穴１２の緩みを有効にするためダブルナット６の要領を用いて固定する。
【符号の説明】
【００１３】  １  上土台  上土台１は従来の木造構造物が載る土台で一般的な土台と同じ構造と考えてよい。
２  下土台  下土台２は従来の土台が基礎と連結固定される部分で一般的な基礎と土台の関係と考えてよい。
３  束  束３は上土台と下土台を繋ぐ構造材で独立ホゾ５・ボルト８により構成されており、Ｘ方向・Ｙ方向にも作用し束３があることで地震の揺れを上土台１・下土台２で反作用を担う構造材である。
４  復元帯  復元帯４は弾力性のある物質を単独ホゾ５に貼り付けて単独ホゾ５に加わる力を吸収し、地震における揺れを元に戻す役目を果たす。
５  独立ホゾ  独立ホゾ５は上土台１・束３・下土台２を繋ぐ独立したホゾで、これがあることで地震における揺れに大きく作用する。
６  ダブルナット  ダブルナット６は上土台１・下土台２・独立５をボルト８で連結する際に用いる金具部材及びナットの固定方法。
７  独立ホゾ部分のボルト穴（緩み）独立ホゾのボルト穴７は緩みを持たせることでＸ方向・Ｙ方向のどちらにも有効に作用する。
８  連結ボルト  連結ボルト８は上土台１と独立ホゾ５・束３と独立ホゾ５・下土台２と独立ホゾ５の全てを連結させるために用いられる金具部材。
９  シングルナット  シングルナット９は束３と独立ホゾ５をボルト８で連結する際に用いる金具部材及びナットの固定方法。
１０  布基礎
１１  ベタ基礎
１２  土台部分のボルト穴（緩み）土台のボルト穴１２は上土台１・下土台２のボルト穴の緩みであり、この緩みがあることで束３が横スベリの作用を促し建物のせり上がりを防ぐ。
【図１】
0003163665.tif 000003
【図２】
0003163665.tif 000004
【図３】
0003163665.tif 000005
(57)【要約】      （修正有）【課題】疲労の軽減と乗降中の音声案内と後部の乗降中表示板で事故の安全を確保したタクシー自動ドア開閉装置を提供する。【解決手段】電動ドアと電動ドアを開閉する開閉配管と、開閉配管を経由して電動ドアを開け閉めする前記電動モーターを駆動する電動コントローラーとからタクシー電動ドアの開閉装置を構成する。手動式ドアの開閉を電動式ドアの開閉と電動コントロールのスィッチで各操作を連動し、ドアの開閉と音声で安全を喚起し後部の乗降中のシグナルで後部方向よりタクシーの乗降中の状態を知らせて、開閉時の注意と乗客の乗降確認と開閉時の注意と安全を確保する。【選択図】図１
0003163668.tif 000002
【実用新案登録請求の範囲】
【請求項１】
電動ドアと電動ドアを開閉する開閉配管と前記開閉配管で駆動する電動モ−ターと前記電動モーターを駆動する電動コントローラーとからなるタクシー電動ドアの開閉装置。
【請求項２】
音声システム装置を設けることを特徴とする請求項１記載のタクシー電動ドア開閉装置。
【請求項３】
乗降中表示板を設けることを特徴とする請求項１又は２記載のタクシー電動ドア開閉装置。
【考案の詳細な説明】
【技術分野】
【０００１】
この考案は車両の運行時の安全とドアの開閉時の疲労を防ぐための電動コントローラー装置と音声システム装置と乗降中表示板装置とを電動コントローラーのスイツチで操作するタクシー電動ドアの開閉装置。
【背景技術】
【０００２】
従来ドアの開閉は手動で操作し１日の作業回数は１００〜２００回に及でいた、これを電動で開閉可能にし、ドアの開閉と連動し音声による安全確保と後部の乗降中表示板の看板で後部の安全を確保するタクシー電動ドアの開閉装置。
【先行技術文献】
【特許文献】
【０００３】
【特許文献１】登録実用新案第３０５４７６３号公報
【考案の概要】
【考案が解決しようとする課題】
【０００４】
従来のドアの開閉は手動式であり勤務中の回数も１００〜２００回で大変な疲労である、ドアの開閉時の事故も多発しており音声による案内で事故を防止し後部の乗降中表示板の看板で後部の注意を喚起する、タクシー電動ドア開閉装置。
【課題を解決するための手段】
【０００５】
電動ドアと電動ドアを開閉する開閉配管と前記開閉配管で駆動する電動モーターと前記電動モーターを駆動する電動コントローラーとからなるタクシー電動ドア開閉装置、音声システム装置を設けることを特徴とする請求項１記載のタクシー電動ドア開閉装置、乗降中表示板を設けることを特徴とする請求項１又は２記載のタクシー電動ドア開閉装置。
【考案の効果】
【０００６】
電動コントロールとスィッチにより作業の軽減と音声の注意と後部の乗降表示板で安全確保。
【図面の簡単な説明】
【０００７】
【図１】タクシー電動ドア開閉装置の概略図
【図２】電動コントローラーの概略図
【図３】電動モーターの概略図
【図４】音声システム装置の概略図
【図５】乗降中表示板のうちの概略図
【考案を実施するための形態】
【０００８】
従来のタクシーのドアは手動式であり１日の操作回数は１００〜２００回となり大変な労働であり電動式により疲労の軽減ができ、電動コントローラーボックスの電源は自動車の電源を使用、スィッチの操作で電気回路とラックとモーターと歯車でドアの開閉しスピーカーと音声回路で開閉時にドアが開きます御注意ください、ドアが閉まります御注意下さい、と案内する、又ドアの開閉時に後部ガラスに乗降中表示板の看板が連動して外部に注意を喚起する運転業務の軽減と安全を確保するタクシー電動ドア開閉装置。
【産業上の利用可能性】
【０００９】
この考案はタクシーに効果的である。
【符号の説明】
【００１０】
１  電動ドア
２  開閉配管
３  電動コントローラー
４  電動モーター
５  電源
６  スィッチ
７  ラック
８  電気回路        
９  電源ケーブル        
１０  スィッチケーブル
１１  モーター
１２  歯車
１３  スピーカー
１４  音声回路
１５  乗降中表示板
【図１】
0003163668.tif 000003
【図２】
0003163668.tif 000004
【図３】
0003163668.tif 000005
【図４】
0003163668.tif 000006
【図５】
0003163668.tif 000007
【手続補正書】
【提出日】平成22年8月4日(2010.8.4)
【手続補正１】
【補正対象書類名】実用新案登録請求の範囲
【補正対象項目名】請求項１
【補正方法】変更
【補正の内容】
【請求項１】
電動ドアと電動ドアを開閉する開閉配管と開閉配管を経由して電動ドアを開け閉めする前記電動モーターを駆動する電動コントローラーとからなるタクシー電動ドアの開閉装置。
(57)【要約】      （修正有）【課題】家庭や病院で、ベットや床等で足腰の不自由な人が、軽くて簡単に穿き物（パジャマ等）の裾から差し入れて足首を持ち上げ左右に動かすことができる足や足首の持ち上げ器具を提供する。【解決手段】軽量で折れ曲ることのない棒状からなり、先端部分が内曲３になっていて、その内曲部分を穿きものの裾から差し込み、足首を持ち上げるようにして左右に移動できる足や足首持ち上げ器具を構成する。【選択図】図１
0003163663.tif 000002
【実用新案登録請求の範囲】
【請求項１】
足腰の不自由な人が、ベットや床等の上で、自分で足や足首を持ち上げて、左右に動かすことが簡単にできるを特徴とする器具を提供する。
【考案の詳細な説明】
【技術分野】
【０００１】  家庭や病院で、足腰の不自由な人や、手術後の患者さんが、ベットや床等で、自分で足や足首を動かすことができない。
【背景技術】
【０００２】  そのベットや床等で、上半身はなんとか起き上がれることができても、自分で足首まで手の先が届かない為に、その不便を解消しようとするものである。
【考案の開示】
【考案が解決しようとする課題】
【０００３】  本考案のベットや床等で、その不便を、自分で足や足首を左右に持ち上げ動かすことのできる器具を提供する。
【課題を解決するための手段】
【０００４】その為には、ベットや床等で、考案の器具の取っ手を握り、内曲の先端を穿き物（パジャマ等）の裾から差し込み、持ち上げて、足や足首を左右に動かすのである。
【考案の効果】
【０００５】その為に、足や足首の痒みや痺れ等があったりした、辛い症状を解消する効果がある。
【考案を実施するための最良の形態】
【０００６】  最良の形態は、軽くて簡単に操作できる器具でなければならない。以下実施例で示す。
【実施例】
【０００７】  ［図１］器具と、足首まである穿き物（パジャマ等）の裾の先端から、内曲先端の差込み動作の一実施例を示す。
【図面の簡単な説明】
【０００８】
【図１】  （Ａ）器具平面図  （Ｂ）側面図  （Ｃ）斜視図  （Ｄ）足首の裾から内曲先端を差し込んだ斜視図
【符号の説明】
【０００９】１      器具取っ手部分
２      器具
３      内曲部分
４      先端
５      穿き物（パジャマ等）
５−１  穿き物先端
６      足
６−１  足首
７      腕
７−１  指
【図１】
0003163663.tif 000003
【手続補正書】
【提出日】平成22年8月5日(2010.8.5)
【手続補正１】
【補正対象書類名】実用新案登録請求の範囲
【補正対象項目名】全文
【補正方法】変更
【補正の内容】
【実用新案登録請求の範囲】
【請求項１】
軽量で折れ曲ることのない棒状からなり、先端部分が内曲になっていて、その内曲部分を穿きものの裾から差し込み、足首を持ち上げるようにして左右に移動できる足や足首持ち上げ器具。
(57)【要約】      （修正有）【課題】目的地まで、どのくらいの距離で到達できるか、どのくらいの時間でゆけるか予想できるドライバー支援スケールを提供する。【解決手段】本スケールは地図上の出発地から目的地までの距離（メートル．キロメートル）を予想する商品で材料は木材、徒歩、自動車のように全く速度が、異なる２種類の要素を一本の本スケールにて解決した。本スケールは長さ２２５ｍｍ、幅１０ｍｍ厚さ５ｍｍで表面を白く塗装し、左端の木口のほぼ真中に木ネジ又はボルトを取付け、ひもの直径１ｍｍ長さ３００ｍｍ、左端の所から５０ｍｍの間隔で黄色、オレンジ色に塗りこのひも一本を木ネジにしばり、外れないように接着材で固定した。この地図上の目的地までひもを、沿わせたらそのひも（本スケール）を本体の目盛に合わせると距離がわかる。【選択図】図１
0003163656.tif 000002
【実用新案登録請求の範囲】
【請求項１】
本品は地図上の出発地から目的地までの距離（メートル、キロメートルを予想するスケールで徒歩、自動車用で定規、本品の図面▲１▼の本体の目盛にひもを取り付けた考案
【請求項２】
本品は木材、プラステック（材料）は図面のように道路が曲っていても、円形、カーブでも、その地図上の道路に、ひも（着色）を、そわせ定規の目盛りのようなキロメートル、メートルを書き、印刷、あるいわきざみ目立つようにした考案です
【請求項３】
本品は夜暗くなっても、自動車の車内灯でもみえ、ヘッドライトでも見えます
又災害がくる前に机上で市販されて地図を利用して、企画、計画、予想救出などに対応できます、と研究しました
【請求項４】
本品はカーナビゲイション、ケイタイ電話パソコンと競合すると思いますが、このコンピ
0003163656.tif 000003
いますが最後の生きる手段だと考えいます
【考案の詳細な説明】
【考案の詳細な説明】
（１）  基本的に地図が必要各種
このドライバー支援スケール〔以下本品と言う〕
（２）  カーナビゲイション、ケイタイ電話、パソコンは現在いる所では印刷できない、できればよいのですね  パソコンは印刷できる
（３）  やはりカーナビゲイション、ケイタイ電話等無料ではない
（４）  運転が徒歩がなれない道も使える
（５）  カーナビゲイションは運転手側から見えても自動車のヘッドライトの方向は見えない、見れば便利
（６）  渋滞、事故、雪などは自動車、徒歩など、ラジオテレビ、ケイタイ電話など情報、をあつめる
▲７▼  用途は徒歩、自動車、バイク、鉄道など営業、宅配集金など科学的にしたもの
▲８▼  道路が曲っていても、直線でも、半円形、本品はつかえる
▲９▼  材料  木材、プラスチック  木口は長方形、正方形などプラスチックは金型で作るがよいが経剤的にはわからない
▲１０▼  船舶用は、むづかしい
▲１１▼  子供の教育、にもつかえる
▲１２▼  運転手が１人で、知らない所まで行くのに解消になると考えている。ただ１０人とい色ですから
▲１３▼  本品は平成８年頃基本的に開発着手しました
▲１４▼  ＩＣタグでは余りにも、きひくい〔悪用されるとこわい〕
▲１５▼  本品は運転の教材にも、なりま、安全
▲１６▼  本品は手造り、会社でも作れるようになれば楽しくなると思います
図面の簡単な説明
ドライバー支援スケール
▲６▼  本体の平面図。数字は距離。
▲７▼  本体の側面図
▲２▼▲３▼  ひも。▲４▼にしばり、接着剤で固定する
▲１▼  本体
▲４▼  本ネジ、ビス、ボルト
0003163656.tif 000004
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
距離を示す目盛りが付された定規と、この定規の一端に取り付けられたヒモとからなり、当該ヒモは地図上の経路に沿わせることを特徴とするドライバー支援スケール
【手続補正２】
【補正対象書類名】明細書
【補正対象項目名】全文
【補正方法】変更
【補正の内容】
【考案の詳細な説明】
【考案の詳細な説明】
【００１】本スケールは地図上の出発地から目的地までの距離（メートル．キロメートル）を予想する商品で材料は木材、徒歩、自動車のように全く速度が、ことなる２種類の要素を一本の本スケールにて解決致しました  本スケールは長さ２２５ｍｍ  幅１０ｍｍ厚さ５ｍｍで表面を白く塗装し、左端の木口のほぼ真中に木ネジあるいわボルト（小さい）取付け、ひもの直径１ｍｍ長さ３００ｍｍ、左端の所から５０ｍｍの間隔で黄色、オレンジ色にぬりこのひも一本を木ネジにしばり、外れないように接着材で固定しました
この地図上の目的地までひもを、そわせたらそのひも（本スケール）の本体の目盛に合わせると距離、がわかります（本スケール）は手作です
【００２】初めに地図上の道路に（本スケール）の左側の所０の所にひもを合せ、それから両手でひもを道路にそわせ目的地までの距離がわかります。道路が曲っも、カーブでも、直線でも、
【００３】本スケールの材料は木材あるいわプラスチックで木口は長方形、正方形です
【００４】カーナビゲイション．ケイタイ電話  現在いる所の画面が印刷できればよいですね
【００５】目的地までの距離がわかれば出発は各自、自由です
【図面の簡単な説明】
【図１】表面図
【図２】裏面図
【符号の説明】▲１▼．本体
▲２▼．ひも
▲３▼．
▲４▼．木ネジ  あるいわボルト
▲５▼．
▲６▼．本体の平面（表面図）数字は距離
▲７▼．本体の側面図
【手続補正３】
【補正対象書類名】図面
【補正対象項目名】全図
【補正方法】変更
【補正の内容】
【図１】
0003163656.tif 000005
【図２】
0003163656.tif 000006
(57)【要約】      （修正有）【課題】骨盤を締め付けることにより、骨盤のズレ、歪を解消し毎日の生活の中で長時間着用できる骨盤矯正ショーツを提供する。【解決手段】本骨盤矯正ショーツは一般的なショーツの機能と骨盤ベルトの機能を合わせもった商品であり、ショーツ本体部分１がパワーネットで出来ており、骨盤に当たる部分はパワーネットの多重構造もしくは繊維の構造によって他の部分より圧がかかるようになっている。骨盤の部分でも特に大転子（太もも脇の骨の出っ張り部分）を締めることにより、骨盤を安定させ内臓を正しい位置に戻す事を特長とするショーツ。【選択図】図３
0003163658.tif 000002
【実用新案登録請求の範囲】
【請求項１】
骨盤矯正ショーツは一般的なショーツの機能と骨盤ベルトの機能を合わせもった商品であり、ショーツ本体部分（１）がパワーネットで出来ており、骨盤に当たる部分はパワーネットの多重構造もしくは繊維の構造によって他の部分より圧がかかるようになっている。骨盤の部分でも特に大転子（太もも脇の骨の出っ張り部分）を締めることにより、骨盤を安定させ内臓を正しい位置に戻す事を特長とするショーツ。
【考案の詳細な説明】
【考案の詳細な説明】
【技術分野】
【０００１】本考案は、骨盤矯正に寄与するショーツの応用に関するものである。
ショーツで積極的に美容や健康商品として利用する為に考案したものである。
【在来の技術】
【０００２】現在、ほとんどの女性が自分のスタイルには気を使い、矯正下着にこだわってかなりのお金を使っている人がいるのが事実である。しかしながら従来の矯正下着はバストアップやウエストラインのくびれ、ダイエットに重心を置いた商品が多く、いかに綺麗に見せるかが目標であった。
その中には骨盤のゆがみで悩みを抱えている女性も多く、骨盤ベルト等を併用して健康関連商品に多額の費用を掛ける女性も多い。
しかし骨盤ベルトは的確な位置、大転子まわり（太もも脇の骨の出っ張り部分）に着用するのが難しく、何度もズレたり直したりする必要があった。
【考案が解決しようとする課題】
【０００３】本考案は、骨盤矯正ショーツは一般的なショーツの機能と骨盤ベルトの機能を合わせもった商品であり、今までは無かった新しい発想とデザインによ、骨盤矯正を追求した商品である。
このショーツは骨盤を締め付けることにより、骨盤のズレ、歪を解消し毎日の生活の中で長時間着用できるようにした。
【課題を解決する為の手段】
【０００４】一般的にショーツは必需品であり、必ず着用するショーツを利用して骨盤矯正を行うことを特長とする
ショーツ本体部分（１）がパワーネットで出来ており、骨盤に当たる部分はパワーネットの２重構造もしくは繊維の構造によって他の部分より圧がかかるようになっている。骨盤の部分でも特に大転子（太もも脇の骨の出っ張り部分）を締めることにより、骨盤を安定させ内臓を正しい位置に戻す事を特長とするショーツ。
【考案の効果】
【０００５】デザイン的にもすっきりして、着用感も良くなり、スポーツなどの激しい動きにも対応できる製品を供給できる。
▲１▼  骨盤の部分でも特に大転子（太もも脇の骨の出っ張り部分）を締めることにより、骨盤を安定させ内臓を正しい位置に戻すことができる。
▲２▼  ショーツ以外のガードルにも本考案が応用できる。
▲３▼  ショーツ一体型なのでトイレなどでの、着脱の不便さが解消できる。
▲４▼  デザインや加工方法が容易であるから、大量生産ができるメリットがある。
【図面の簡単な説明】
【図１】本考案のショーツ、正面図である。
【図２】本考案のショーツ、背面図である。
【図３】本考案のショーツ、上面図である。
【図４】本考案のショーツ、底面図である。
【符号の説明】１  骨盤矯正部分
２  マチ（当て布）部分
３  足ぐり部分
【図１】
0003163658.tif 000003
【図２】
0003163658.tif 000004
【図３】
0003163658.tif 000005
【図４】
0003163658.tif 000006
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
ショーツ本体部分（１）がパワーネットで、骨盤に当たる部分はパワーネットの多重構造もしくは繊維の構造によって他の部分より圧がかかるようになっており、骨盤の部分でも特に大転子（太もも脇の骨の出っ張り部分）を締めることにより、骨盤を安定させ内臓を正しい位置に戻す事を特長とするショーツ。
(57)【要約】      （修正有）【課題】ナイフと鞘を固定する手段として素早い着脱を可能とし、尚且つ確実な固定を可能とする鞘のロック構造を提供する。【解決手段】ナイフブレード部に円形の穴を空け、鞘に円筒状の固定金具を取り付け、鞘に収納したナイフのブレード部の穴に円筒状固定金具をはめ込む構造。また、円筒状固定金具の上部にテーパーをつけ余分な摩擦抵抗を減らすことで片手での着脱を容易にする。【選択図】図３
0003163692.tif 000002
【実用新案登録請求の範囲】
【請求項１】
ナイフに使用する鞘のロック構造として、ナイフのブレードに穴を開け、鞘に上部にテーパーをつけ余分な摩擦抵抗を減らした円筒状固定金具を取り付け、円筒状固定金具をブレードにはめ込むロック構造。
【考案の詳細な説明】
【技術分野】
【０００１】
本考案は、ナイフの鞘のロック構造に関してのものである。
【背景技術】
【０００２】
これまでナイフを鞘にロックするにはナイフのグリップをベルト状の素材でホック止めするか、樹脂製の素材を利用し樹脂の弾性で固定する方法があった。
【０００３】
しかし、ベルト状の素材をホック止めする方法は固定は確実だが着脱を片手で行うことが難しく、樹脂素材を利用した方法も着脱は容易だがロックの確実性においては十分とは言い難かった。
【考案の概要】
【考案が解決しようとする課題】
【０００４】
解決しようとする問題点はナイフと鞘を固定する方法として片手でも容易に素早い着脱を可能とし、尚且つ確実な固定を可能とする鞘のロック構造。
【課題を解決するための手段】
【０００５】
ナイフのブレード部に円形の穴を空け、鞘に円筒状の固定金具を取り付け鞘に収納したナイフのブレード部の穴に円筒状固定金具をはめ込む（図１の１）。また、円筒状固定金具の上部にテーパーをつけ余分な摩擦抵抗を減らすことで片手での着脱を容易にする（図２の２）。  
【図面の簡単な説明】
【０００６】
【図１】ナイフを鞘に収納した状態でのロック構造を説明した図である。
【図２】ナイフを鞘に収納した状態でのロック構造を説明した図である。
【図３】ナイフを鞘から着脱した状態でのロック構造を説明した図である。
【実施例】
【０００７】
図１は、ナイフを鞘に収納した状態の上面図であり、１は鞘に取り付けた円筒状固定金具を取り付けるための穴である。
【０００８】
図２はナイフを鞘に収納した状態の側面図である。２は鞘に取り付ける上部にテーパーをつけた円筒状固定金具である。
【０００９】
図３はナイフを鞘から着脱した状態の側面図である。鞘からナイフを抜き出す場合は円筒状固定金具を押し込みロックを解除する。
【図１】
0003163692.tif 000003
【図２】
0003163692.tif 000004
【図３】
0003163692.tif 000005
(57)【要約】      （修正有）【課題】手芸において、千代紙や布を貼ったり絵を描いたりする人工はまぐりを提供する。【解決手段】プラスチックやセラミック等を型に流し、外側のひだや内側の光沢も実物そっくりのはまぐりを作る。また２枚に開いた物や切り離したものも作成する。人工のはまぐりに千代紙を重ねて貼り、目・鼻・口を書き入れて、おひな様を作ったり、金箔を施し絵を書き入れたりして、自由な発想で、手芸を楽しむことが出来る。【選択図】図１
0003163647.tif 000002
【実用新案登録請求の範囲】
【請求項１】
プラスチックやセラミック等で、実物そっくりのはまぐりを作る。また閉じた形や２枚を切り離した物も作ると自由な発想で手芸を楽しむことができる。
【考案の詳細な説明】
【技術分野】
【０００１】手芸において、千代紙や布を貼ったり絵を描いたりするはまぐりを人工的に作成する。
【背景技術】
【０００２】おひな祭りの行事等に縁起が良いはまぐりを手芸で使う際、高価な物を使用している。
【考案の概要】
【考案が解決しようとする課題】
【０００３】本物は高価であるし入手の時期も限定されるし国産ものは小さすぎる。
【課題を解決するための手段】
【０００４】プラスチックやセラミックを型に流し実際のはまぐりの様な外形をし、表にはひだがあり、内側は白っぽく光沢があり、外形も内側も本物そっくりに作る。また２枚に開いた物や切り離したものも作る。
【考案の効果】
【０００５】人工のはまぐりは安価で簡単にいつでも容易に入手できる。
【図面の簡単な説明】
【０００６】
【図１】  はまぐりを開いたもの
【図２】  図１のはまぐりを閉じて横から見たもの
【図３】  開いたはまぐりに千代紙を重ねて貼り縫い合わせておひな様
【図４】  開いたはまぐりを切り離し、１枚に金箔を施し絵を描いた図
【考案を実施するための形態】
【０００７】人工のはまぐりに図３のように千代紙を重ねて貼り、目・鼻・口を書き入れて、おひな様を作ったり、図４のように金箔を施し絵を書き入れたりして、自由な発想で、手芸を楽しむことが出来る。
【図１】
0003163647.tif 000003
【図２】
0003163647.tif 000004
【図３】
0003163647.tif 000005
【図４】
0003163647.tif 000006
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
プラスチックやセラミック又は金属からなる実物そっくりの手芸用の人工はまぐり。
(57)【要約】      （修正有）【課題】第一ボタンは穴を通さずとも簡単容易にはめる事ができるワイシヤツを提供する。【解決手段】パチンとはめるだけで済むようにワイシヤツの第一ボタンをアメリカンホックにする。【選択図】図１
0003163649.tif 000002
【実用新案登録請求の範囲】
【請求項１】
ワイシヤツの一番上の第一ボタンを今までのボタンからアメリカンホックにする、今までのボタンだとクリーニング後なのでは、ボタンが何々穴に入らず、アメリカンホックにすると、パチンとはめるだけなので、楽に第一ボタン（アメリカンホック）をはめる事ができる。
【考案の詳細な説明】
【技術分野】
【０００１】本考案はワイシヤツの第一ボタンの変更。
【背景技術】
【０００２】今までのワイシヤツの第一ボタンは何々はめられないので、アメリカンホックにする事ですぐパチンとはめる事が出来る。
【考案が解決しようとする課題】
【０００３】今までのワイシヤツの第一ボタンはクリーニング後、何々はめる事が出来ない。
【課題を解決するための手段】
【０００４】今までのワイシヤツの第一ボタンをアメリカンホックにする事によりすぐ、はめる事が出来る。
【考案の効果】
【０００５】よって今までのボタンをアメリカンホックにかえる事により、すぐパチンとはめる事が出来る。
【考案を実施するための最良の形態】
【０００６】ワイシヤツの第一ボタンをアメリカンホックにする事により、すぐアメリカンホックをはめる事が出来る。
【図面の簡単な説明】
【０００７】
【図１】本考案に係る、ワイシヤツの第一ボタンアメリカンホックの図である。
【図２】従来のワイシヤツの第一ボタンの図である。
【符号の説明】
【０００８】１、アメリカンホックの図
２、従来のボタンの図
【図１】
0003163649.tif 000003
【図２】
0003163649.tif 000004
【手続補正書】
【提出日】平成22年6月17日(2010.6.17)
【手続補正１】
【補正対象書類名】実用新案登録請求の範囲
【補正対象項目名】請求項１
【補正方法】変更
【補正の内容】
【請求項１】
ワイシヤツの一番上の第１ボタンをアメリカンホックにする事により機能的で便利であり、デザインは斬新となる。
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
機能的で便利であり、デザインは斬新となるように、一番上の第１ボタンをアメリカンホックにした、Ｙシャツ。
(57)【要約】      （修正有）【課題】降雨時使用後に折り畳んで携帯しても、雨水を周囲や床面に飛散漏洩させない雨傘を提供する。【解決手段】本折りたたみハードケース付雨傘の構造では、傘本体に雨水の飛散漏洩を防止するハードケースが装着されているため、何処でも使え、使用後は再び折り畳むので、無駄な廃棄物を生じない。【選択図】図２
0003163648.tif 000002
【実用新案登録請求の範囲】
【請求項１】
降雨時使用後に折り畳んで携帯しても、雨水を周囲や床面に飛散漏洩させない雨傘の構造。
【考案の詳細な説明】
【技術分野】
【０００１】降雨時使用後に折り畳んで携帯しても、雨水を周囲や床面に飛散漏洩させない雨傘の構造。
【背景技術】
【０００２】降雨時使用後の雨傘から雨水が飛散漏洩するのを防ぐために、一部の行政庁やデパート、量販店などでは、入り口に合成樹脂製の雨傘袋を備え、入庁・入店者に提供している。また、上部の挿入口に傘を差し込み手前に引くと、傘が袋に納まって出てくる設備も考案されている。
【考案の概要】
【考案が解決しようとする課題】
【０００３】雨傘袋や装着設備を備える方法では袋が使い捨てとなり、資源の浪費となるうえ、設備のある場所が限られている。
【課題を解決するための手段】
【０００４】本考案による折りたたみハードケース付雨傘の構造では、傘の上部に合成樹脂製の折りたたみ式のハードケースを装着し、傘として使用するときと、使用しないときは折り畳んでおき、傘が濡れたときはケースを引き伸ばして傘全体を覆い、雨水の飛散漏洩を防止する。傘自体にケースが装着されているので、場所を選ばず使用でき、使用後は折り畳むので使い捨てとならず、無駄な廃棄物を生じない。
【図面の簡単な説明】
【０００５】
【図１】本考案による折りたたみハードケース付雨傘を、降雨時に使用する場合の側面図である。
【図２】使用しないときに折りたたんだ状態（右図）と、装着したハードケースを伸ばして傘全体を被覆した状態（左図）の側面図である。
【図１】
0003163648.tif 000003
【図２】
0003163648.tif 000004
【手続補正書】
【提出日】平成22年5月9日(2010.5.9)
【手続補正１】
【補正対象書類名】実用新案登録請求の範囲
【補正対象項目名】全文
【補正方法】変更
【補正の内容】
【実用新案登録請求の範囲】
【請求項１】
頂部のキャップに、口径が漸増するテーパ状筒数個を組み合わせた構造からなる、ハードケースを装着した雨傘。
【手続補正書】
【提出日】平成22年8月4日(2010.8.4)
【手続補正１】
【補正対象書類名】実用新案登録請求の範囲
【補正対象項目名】全文
【補正方法】変更
【補正の内容】
【実用新案登録請求の範囲】
【請求項１】
頂部のキャップに、口径が漸増するテーパ状筒数個を、中心軸が同一直線上にのるように組み合わせて、前記中心軸方向に伸縮可能としたハードケースを装着し、前記ハードケースは伸ばした時に傘全体を覆うことを特長とする雨傘。
(57)【要約】      （修正有）【課題】噴射ノズルから噴射した高圧の水を、浴槽内面及び上面に万遍なく噴射することによって浴槽内面及び上面を洗浄する浴槽洗浄機を提供する。【解決手段】噴射ノズル３の付いた回転子５をモータの回転軸７に取り付け、モータを正転したり逆転させることによって、噴射ノズル３を左右に振ることができるようにする。このモータをもう一方のモータにモータの回転軸が直交するようにアーム４を介して取り付け、また、噴射ノズル３の先端に湾曲をつける。【選択図】図１
0003163680.tif 000002
【実用新案登録請求の範囲】
【請求項１】
回転軸に噴射ノズルのついた回転子を取り付けたモータを、もう一方のモータの回転軸に取り付け、モータを制御することによって噴射ノズルを上下左右に制御し、浴槽の内面及び上面の洗浄を行う浴槽洗浄機。
【請求項２】
浴槽の内面及び上面に端から端まで万遍なく水を噴射できるように、先端部に湾曲をつけた請求項１記載の浴槽洗浄機の噴射ノズル。
【考案の詳細な説明】
【技術分野】
【０００１】  本考案は浴槽を洗浄する機器に関するものであり、弁の開閉や噴射ノズルの動きをコンピュータで制御して浴槽を洗浄しようとするものである。
【背景技術】
【０００２】  浴槽内面の洗浄は、自動化された装置として、特許文献１や特許文献２に開示されているものがある。
【特許文献１】  特開２００９−２０７７５３
【特許文献２】  特開２０１０−４９９６
【考案の開示】
【考案が解決しようとする課題】
【０００３】  しかしながら、一般的には水を抜いたあとブラシを使ってブラッシングされている。このとき腰を曲げて力を入れて作業しなければならず、苦痛を伴う作業である。【０００４】  本考案は噴射ノズルから噴射した高圧の水を、浴槽内面及び上面に万遍なく噴射することによって浴槽内面及び上面を洗浄することを課題とするものである。
【課題を解決するための手段】
【０００５】  この課題を解決するための請求項１の考案は、噴射ノズルのついた回転子をモータの回転軸に取り付け、モータを正転したり、逆転させることによって噴射ノズルを左右に振ることができるようにする。このモータをもう一方のモータにモータの回転軸が直交するようにアームを介して取り付けて回転させることによって、浴槽の内面及び上面の洗浄を行うようにした。【０００６】  また、請求項２の考案は、噴射ノズルが左へ振れた時は浴槽の右側へ、噴射ノズルが右へ振れた時は浴槽の左側へ、高圧の水を噴射することによって、浴槽の内面及び上面を端から端まで順次万遍なく洗浄を行うようにした。
【考案の効果】
【０００７】  ノズルから噴射された高圧の水は浴槽内面および上面の隅々に噴射され、この高圧の水によって浴槽内面及び上面の汚れやぬるみを除去することができ、腰を曲げて、力を入れてブラッシングするという苦痛な作業を取り除くことができる。
【考案を実施するための最良の形態】
【０００８】  本考案は図１に示すように、モータＢ２の回転軸７に噴射ノズル３のついた回転子５を取り付け、このモータＢ２をアーム４を介してモータＡ１の回転軸６に取り付ける。土台１１を図２示す浴槽の中心線１４とモータＢ２の回転軸の中心が一致するように壁に取り付ける。
モータＡ１の回転軸を回転させて噴射ノズル３の先端を持ち上げ、ギアモータ９を回転して、バルブ８を開くとノズル３の先端より、高圧の水が噴射される。次に、モータＢ２の回転子５を左右に回転させた後、噴射ノズル３を少し下方へ向くようにモータＡ１の回転軸を回転させる。これを繰り返すと、噴射ノズル３の先端から、高圧の水を噴射しながら、浴槽の内面１２、及び上面１３を万遍なく洗浄していく。洗浄が終われば、ギアモータ９を回転してバルブ８を閉じ、浴槽洗浄を終了する。
【産業上の利用可能性】
【０００９】  本考案に係る浴槽洗浄機は、工業的に量産する事が可能であるため、産業上の利用可能性を有する。
【図面の簡単な説明】
【０００１０】
【図１】  本考案に係る機器の構成を示す図である。
【０００１１】
【図２】  本考案に係る機器の設置位置を示す図である。
【符号の説明】
【０００１２】  １  モータＡ
２  モータＢ
３  噴射ノズル
４  アーム
５  回転子
６  モータＡの回転軸
７  モータＢの回転軸
８  バルブ
９  ギアモータ
１０  ゴムホース
１１  土台
１２  浴槽の内面
１３  浴槽の上面
１４  浴槽の中心線
【図１】
0003163680.tif 000003
【図２】
0003163680.tif 000004